(57)【要約】【課題】トリチウムが含まれる放射性汚染水などの放射性廃棄物を体積が小さい包装資材を用いて安定的に長期に貯蔵し保管できる。【解決手段】図１から９に示した体積が小さい容器、箱、袋などの包装資材を用いて放射性廃棄物が包装または個装されているから一つの包装物の外形サイズならびに体積は小さく、さらには梱包された形態なので運送が安全に効率よく行える又、梱包サイズにもよるが人が持ち運べる大きさと軽量の梱包サイズは取扱が容易であるため、保管場所への搬入作業も容易になり、かつ包装された放射性廃棄物を箱に詰めて梱包する形態によって保管場所の収納空間が効率的に使用できる。すなわち、図１０から１２に示す梱包された放射性廃棄物同士は複数に重ねることと隣り合う梱包物に隙間を設けなくとも台座上面に積み重ねが可能となるし、それらの積み重ねられた一団を配列して上方に複数の段積みが容易となるから保管場所の容積率分の収納空間領域に放射能減衰に至るまでの間、効率よく収まる。【選択図】図１
2020027093.tif 000002
【特許請求の範囲】
【請求項１】
放射性廃棄物を包装資材で包装もしくは個装された放射性廃棄物包装形態物であって、
複数の前記放射性廃棄物包装形態物は地上に備えられた建造物の中の領域、地盤を地下方に掘削してなる穴の内側領域、地上至地下を掘削してなる建造物の中の空間領域、コンテナの中の領域のうちのいずれかの領域を選択して収納することを特徴とする放射性廃棄物を貯蔵し保管する方法。
【請求項２】
前記放射性廃棄物包装形態物を梱包資材で梱包することを特徴とする請求項１に記載の放射性廃棄物を貯蔵し保管する方法。
【請求項３】
缶、瓶、ボトル缶、ペットボトル、バウチ、カップ容器、組立式箱、箱、袋のうちのいずれかの包装資材であって、
前記包装資材の少なくとも一つを選択して用いることを特徴とする請求項１又は２に記載の放射性廃棄物を貯蔵し保管する方法。
【請求項４】
木箱梱包、木枠梱包、金属箱梱包、金属枠梱包、トライウォールとパレレット併用、不倒桟木箱梱包、真空梱包、スキッド梱包、スチールケース、スチールクレート梱包、組立開梱式箱梱包、紙箱梱包のうちのいずれかの梱包資材であって、
前記梱包資材の少なくとも一つを選択して用いることを特徴とする請求項１から３のいずれかに記載の放射性廃棄物を貯蔵し保管する方法。
【請求項５】
放射性廃棄物包装形態物の素材は、金属缶、樹脂容器、ガラス容器、金属と樹脂からなる複合容器、ガラスと金属からなる複合容器、炭素繊維と金属からなる複合容器、ガラスと炭素繊維からなる複合容器、ガラスとセラミックスからなる複合容器、金属とセラミックスからなる複合容器、炭素繊維とセラミックスからなる複合容器のうちのいずれか一つを選択してなることを特徴とする請求項１から３のいずれかに記載の放射性廃棄物を貯蔵し保管する方法
【請求項６】
放射性廃棄物包装形態物を梱包資材で梱包する梱包素材は、
金属、合成樹脂、ガラス、金属と樹脂からなる複合素材、ガラスと金属からなる複合素材、炭素繊維と金属からなる複合素材、ガラスと炭素繊維からなる複合素材、ガラスとセラミックスからなる複合素材、金属とセラミックスからなる複合素材、炭素繊維とセラミックスからなる複合素材のうちのいずれか一つを選択してなることを特徴とする請求項１から４のいずれかに記載の放射性廃棄物を貯蔵し保管する方法。
【請求項７】
前記包装資材または前記梱包資材には、蓋を装着してなることを特徴とする請求項１から６のいずれかに記載の放射性廃棄物を貯蔵し保管する方法。
【請求項８】
前記包装資材または前記梱包資材の表面には、樹脂からなるフイルムを装着して被覆されていることを特徴とする請求項３又は４に記載の放射性廃棄物を保管する方法。
【請求項９】
前記放射性廃棄物包装形態物または前記放射性廃棄物包装形態物を梱包資材で梱包した梱包物のいずれかの放射性廃棄物の移動の管理または保管施設での管理はコンピューターによる監視システムと物流システムとが備えられている立体自動倉庫または建造物であることを特徴とする請求項１又は２に記載の放射性廃棄物を貯蔵し保管する方法。
【発明の詳細な説明】
【技術分野】
【０００１】放射性廃棄物処理に関する。
【背景技術】
【０００２】トリチウムが含まれる放射性汚染水、放射性物質、放射性廃棄物、放射性物質を含む水を安全にまた、環境に負荷を少なくして長期に貯蔵し保管、管理する場所の敷地面積、建屋の床面積と容積、地下空間の床面積と容積を小さくすること、ならびにトリチウムが含まれる放射性汚染水、放射性物質、放射性廃棄物、放射性物質を含む水の運送、貯蔵、保管、管理に掛かる費用負担を軽減することが望まれている。
【先行技術文献】
【０００５】特願昭６１−１８６７５３
【発明の概要】
【発明が解決しようとする課題】
【０００６】放射性廃棄物を体積が小さい容器、箱、袋などの包装資材を用いて包装もしくは個装、その包装物もしくは個装物は梱包資材を用いて梱包された梱包物を地上または地下の建造物の空間に効率的に収納する放射性廃棄物を貯蔵し保管する方法を提供することを目的とする。
【発明が解決するための手段】
【０００７】請求項１の発明の放射性廃棄物を貯蔵し保管する方法は、
放射性廃棄物を包装資材で包装もしくは個装された放射性廃棄物包装形態物あって、
複数の前記放射性廃棄物包装形態物は地上に備えられた建造物の中の領域、地盤を地下方に掘削してなる穴の内側領域、地上至地下を掘削してなる建造物の中の空間領域、コンテナの中の領域のうちのいずれかの領域を選択して収納することを特徴とする放射性廃棄物を貯蔵し保管する方法。
【０００８】請求項２の発明の放射性廃棄物を貯蔵し保管する方法は、
前記放射性廃棄物包装形態物を梱包資材で梱包することを特徴とする請求項１に記載の放射性廃棄物を貯蔵し保管する方法。
【０００９】請求項３の発明の放射性廃棄物を貯蔵し保管する方法は、
缶、瓶、ボトル缶、ペットボトル、パウチ、カップ容器、組立式箱、箱、袋のうちのいずれかの包装資材であって、
前記包装資材の少なくとも一つを選択し用いることを特徴とする請求項１又は２に記載の放射性廃棄物を貯蔵し保管する方法である。
【００１０】請求項４の発明の放射性廃棄物を貯蔵し保管する方法は、
木箱梱包、木枠梱包、金属箱梱包、金属枠梱包、トライウォールとパレレット併用、不倒桟木箱梱包、真空梱包、スキッド梱包、スチールケース、スチールクレート梱包、組立開梱式箱梱包、紙箱梱包のうちのいずれかの梱包資材であって、前記梱包資材の少なくとも一つを選択し用いることを特徴とする請求項１から３のいずれかに記載の放射性廃棄物を貯蔵し保管する方法である。
【００１１】請求項５の発明の放射性廃棄物を貯蔵し保管する方法は、
放射性廃棄物包装形態物の素材は、金属缶、樹脂容器、ガラス容器、金属と樹脂からなる複合容器、ガラスと金属からなる複合容器、炭素繊維と金属からなる複合容器、ガラスと炭素繊維からなる複合容器、ガラスとセラミックスからなる複合容器、金属とセラミックスからなる複合容器、炭素繊維とセラミックスからなる複合容器のうちのいずれか一つを選択してなることを特徴とする請求項１から３のいずれかに記載の放射性廃棄物を貯蔵し保管する方法である
【００１２】請求項６の発明の放射性廃棄物を貯蔵し保管する方法は、
放射性廃棄物包装形態物を梱包資材で梱包する梱包素材は、
金属、樹脂、ガラス、金属と合成樹脂からなる複合素材、ガラスと金属からなる複合素材、炭素繊維と金属からなる複合素材、ガラスと炭素繊維からなる複合素材、ガラスとセラミックスからなる複合素材、金属とセラミックスからなる複合素材、炭素繊維とセラミックスからなる複合素材のうちのいずれか一つを選択してなることを特徴とする請求項１から４のいずれかに記載の放射性廃棄物を貯蔵し保管する方法である。
【００１３】請求項７の発明の放射性廃棄物を保管する方法は、
前記包装資材または前記梱包資材には、蓋を装着してなることを特徴とする請求項１から６のいずれかに記載の放射性廃棄物を貯蔵し保管する方法である。
【００１４】請求項８の発明の放射性廃棄物を保管する方法は、
前記包装資材または前記梱包資材の表面には、樹脂からなるフイルムを装着して被覆されていることを特徴とする請求項３又は４に記載の放射性廃棄物を貯蔵し保管する方法である。
【００１５】請求項９の発明の放射性廃棄物を貯蔵し保管する方法は、
前記放射性廃棄物包装形態物または前記放射性廃棄物包装形態物を梱包資材で梱包した梱包物のいずれかの放射性廃棄物の移動の管理または保管施設での管理はコンピューターによる監視システムと物流システムとが備えられている立体自動倉庫または建造物であることを特徴とする請求項１又は２に記載の放射性廃棄物を貯蔵し保管する方法である。
【発明の効果】
【００１６】以上のように本発明の放射性廃棄物を保管する方法は放射性廃棄物を体積が小さい容器、箱、袋などの包装資材を用いて放射性廃棄物が包装または個装されているから一つの包装物はボトル缶やペットボトルまたはバウチや袋であって、それらの外形サイズならびに体積は小さく、さらには梱包された形態なので運送が安全に効率よく行える又、梱包サイズにもよるが人が持ち運べる大きさと軽量の梱包サイズは取扱が容易であるため、保管場所への搬入作業も容易になる。
【００１７】また、包装された放射性廃棄物を箱に詰めて梱包する形態によって保管場所の収納空間が効率的に使用できる。すなわち、梱包された放射性廃棄物同士は複数に重ねることと隣り合う梱包物に隙間を設けなくとも台座上面に積み重ねが可能となるし、それらの積み重ねられた一団を配列して上方に複数の段積みが容易となるから保管場所の容積率分の収納空間領域に効率よく収まる。
よって、この保管場所に必要とする敷地面積と容積率が低く抑えられるから本発明は放射性廃棄物を保管する土地を効率的に有効利用できる。
なお、上記の台座やパレットを使用しないで放射性廃棄物を箱に詰めて梱包する形態物を保管場所で保管することも保管方法の選択肢から選ぶことができる。
【００１８】また、梱包された放射性廃棄物を保管施設に搬入、排出する作業は電子制御を用いる機械化やロボットの活用が可能であるから作業員の放射能被曝軽減対策になる。
また、梱包された放射性廃棄物を保管施設中の置き場所へ移動させる手段もコンピュータを用いた移動機械化が容易であるから作業員の放射能被曝対策になる。
また、その相乗効果として貯蔵し保管する建造物の建設費用負担が少なくなる、さらには長期に貯蔵し保管するための管理費用も上述のコンピュータを用いた移動機械化やロボットの活用さらにはコンピュータとカメラを用いた映像記録処理により管理に伴う費用が抑えられることが考えられる。
【００１９】また、貯蔵し保管する放射性廃棄物の放射能初期減衰至る全て減衰時とその減衰期間内にはロボットやコンピュータを用いて梱包の開梱と包装形態物の蓋の保持を自動に解除する機械化も可能であるから本発明の有用性は高い。
この方法によると三重水素であるトリチウムやトリチウムが含まれる放射性汚染水などの処理対策に有用であると考えられる。
【図面の簡単な説明】
【００２０】
【図１】図１は、本発明の実施の形態１と３，５に係る側面図である。当該図はボトル缶の側面に放射能標識、バーコード、内容物名称と蓋を示した図である。
【図２】図２は、本発明の実施の形態１と３，５に係る側面図である。当該図はボトル缶の測面に放射能標識、バーコード、内容物名称と蓋と内容物の放射性廃棄物〈点線囲い部〉を示した図である。
【図３】図３は、本発明の実施の形態１と３，５に係る側面図である。当該図はペットボトルの側面に放射能標識、バーコード、内容物名称と蓋を示した図である。
【図４】図４は、本発明の実施の形態１と３，５に係る側面図である。当該図は容量の異なる３種のペットボトルの側面に放射能標識、バーコード、内容物名称と蓋を示した図である。
【図５】図５は、本発明の実施の形態１と３，５に係る断面図である。当該図はボトル缶の中に放射性廃棄物の表示と、蓋を示した断面図である。
【図６】図６は、本発明の実施の形態１と３，５に係る側面図である。当該図は合成樹脂袋の側面に放射能標識、バーコード、内容物名称と蓋を示した図である。
【図７】図７は、本発明の実施の形態１から７に係る側面図である。当該図は合成樹脂袋の測面に放射能標識、バーコード、内容物名称と蓋と点線部中に放射性廃棄物を示した側面図である。
【図８】図８は、本発明の実施の形態１から７に係る斜視図である。当該図はパウチ容器に放射能標識、バーコード、内容物名称と熱溶着箇所とパウチ中〈点線囲い部〉に放射性廃棄物である焼却灰を示した斜視図である。
【図９】図９は、本発明の実施の形態１から７に係る断面図である。当該図は図８の断面図である。
【図１０】図１０は、本発明の実施の形態２，４，６，７に係る斜視図である。当該図はパレット上面に放射性廃棄物が挿入されている複数のボトル缶やペットボトルを収納した梱包箱複数〈放射能標識、バーコード、内容物名称を記す〉の一団を示した斜視図である。
【図１１】図１１は、本発明の実施の形態２、４，６，７に係る斜視図である。当該図は放射性廃棄物が挿入されている複数のボトル缶やペットボトルを収納した梱包箱複数〈放射能標識、バーコード、内容物名称を記す〉の一群を示した斜視図である。
【図１２】図１２は、本発明の実施の形態２、４，６，７，８に係る斜視図である。当該図はパレット上面に放射性廃棄物が挿入されている複数のボトル缶やペットボトルを収納した梱包箱複数〈放射能標識、バーコード、内容物名称を記す〉の一団に梱包用フイルムの被覆と複数の梱包用バンドを示した斜視図である。〈上記で説明した図には図の理解を高めるために敢えて透明に示した図が含まれている。〉
【発明を実施する為の形態】
【００２１】＜第１の実施の形態＞
【００２２】請求項１の発明の放射性廃棄物を貯蔵し保管する方法の形態は、
放射性廃棄物を包装資材で包装もしくは個装された放射性廃棄物包装形態物あって、
複数の前記放射性廃棄物包装形態物は地上に備えられた建造物である倉庫の中の領域、地盤を地下方に掘削してなる穴もしくは縦穴の内側領域、地上至地下を掘削してなる地層領域に造る建造物の中の空間領域、貨物用コンテナの中の領域のうちのいずれかの領域を選択して収納する方法を以下に説明する。
【００２３】放射性廃棄物は体積が小さい包装資材を用いて包装されるから一つの包装物の外形サイズならびに体積は小さく人が持ち運べる大きさと軽量の放射性廃棄物包装形態物は保管場所への搬入作業も容易になるから好ましい。
包装資材の外形サイズならびに体積は小さく、例えば、図１〜９で示したようにボトル缶［図１，２，５参照］やペットボトル［図３，４参照］のサイズは、容量が５００ｍｌ、２０００ｍｌから３０００ｍｌ、３００００ｍｌのような任意の容量の容器を選択できる。
また、缶、瓶、ボトル缶、ペットボトル、パウチ［図８，９参照］は長期に腐食が少ない素材を選択できるから液体や水分が含まれる放射性廃棄物などの貯蔵と保管に好ましい。
【００２４】また、体積が小さい包装資材の説明は以下の従属発明の実施の形態でも記述した。
また、放射性廃棄物包装形態物は地上に備えられた建造物である倉庫を構成する施設、地盤を地下方に掘削してなる少なくとも一つの穴を構成する施設、もしくは地盤を地下方に掘削してなる複数の縦穴を構成する施設、地上至地下を掘削してなる地層領域に造る建造物の中の空間領域を構成する地下施設、貨物用コンテナを構成する施設のいずれかを選択するとよい。
また、上記、縦穴を構成する施設の縦穴の内側壁に整合するサイズの金属製またはポリエチレン樹脂製からなる底壁を構成した円筒管の資材を挿入し、その円筒形状の管の地表近接部位にはボルトとナットの固定部材で円筒管に固定する蓋の設置が好適である。
【００２５】また、建造物は公知の法規制に整合する建設方法、公知の法規制に整合する地盤掘削方法、法規制に整合する地中掘削方法によって、任意の設計で造られることが望ましい。すなわち、我が国の当該法規制とは核原料物質、核燃料物質及び原子炉の規制に関する法律が含まれる法律をいう。
また、構造形式はＲＣ造、Ｓ造、ＳＲＣ造の構造が好ましく、建造物の意匠やサイズに鑑みて構造形式を決定するとよいが上述の法規制を遵守する事。
また、構造計算においては保有水平耐力を保持する設計計算が求められる。
また、基本設計において重要である床荷重、耐震性能、耐風性能、耐久性能、耐火性能耐震性能［地震履歴、地層構成地盤特性、周辺活断層］［支持地盤、卓越周期、液状化強度、水位］の調査結果に基づき構造物の耐震方針の策定を行うことがよいが上述の法規制を遵守する事。
また、基本的な骨組み形式は、吊り構造スーパーフレーム構造コア付ラーメン構造チューブ構造純ラーメン構造  耐震壁付ラーメン構造壁式構造ブレース構造の何れかの骨組み形式を選択すればよいが上述の法規制を遵守する事。
【００２６】また、既存の原子力発電事業所施設内と、その敷地と近傍の土地または、既存の放射性廃棄物を取り扱う施設内と、その敷地と近傍の土地と建屋を有効活用することが好ましいが、それらとは別の土地に新設する建造物施設や埋め立て地、海上施設やメガ級船舶で放射性廃棄物包装形態物を貯蔵し保管することも選択肢として考えられる。
また本発明による方法は、放射性廃棄物を上述の各、貯蔵し保管する施設に移送する際には輸送に適したサイズの包装形態は運送作業に好ましく、輸送途中の衝撃緩和効果と包装容器や袋、箱の表面に分別、識別を示すバーコード表記が容易であるから輸送途中ならびに施設での保管の管理にも好ましい。
また、移送および保管における内容物の保護に本発明の包装形態は長距離輸送と長期保管に好ましい。
【００２７】また、貨物用コンテナの中の領域にも本発明の包装形態はコンテナ中の空間をあますことなく効率的に使えるから放射性廃棄物を長期に保管することができるから複数の貨物用コンテナの選択も好ましい。
また、貨物用コンテナは複数の段積に耐えられる機械的強度を備えているから貨物用コンテナ施設の土地が効率的に利用できるので好ましい。
また、貨物用コンテナは公知のように鉄道車両、船舶、トラック車両、航空機に積載して移動が可能であるから保管施設までの運送が容易であることも好ましい。
＜第２の実施の形態＞
【００２８】請求項２の発明の放射性廃棄物を貯蔵し保管する方法は、
前記放射性廃棄物包装形態物を梱包資材で梱包する請求項１に記載の放射性廃棄物を貯蔵し保管する方法に有用である梱包資材の種類は、金属製コンテナ、溶融亜鉛メッキ製コンテナ、溶融亜鉛メッキ製ドラム缶、ステンレス製ドラム缶、プラスチック製コンテナ、素材が金属又は樹脂からなる中空板状体製コンテナ、樹脂製段ボール、合成樹脂製段ボール箱［図１０〜１２参照］紙製段ボール箱［図１０〜１２参照］、紙製段ボール、合成樹脂製袋などの収納用の梱包資材から選択すると好ましい。
【００２９】また、被梱包物を保護するエア緩衝材、ゴムや発泡スチロールなどのクッション材、箱を固定するボルト、ナット、ねじ、粘着テープ、接着テープ、シュリンクフィルム［図１２参照］、ステープラ、ストレッチフィルム、ワイヤーなどの被梱包物を保護する資材の種類と梱包に必要となる固定具のうちから選択することが好ましい。
【００３０】また、収納用の梱包資材に付帯して台座、金属製パレット［図１０，１２参照］、合成樹脂製パレット［図１０，１２参照］を使用するとパレット上面に積み重ねられた一団［図１０，１２参照］を配列して上方に複数の段積みが容易となるから保管場所の容積率分の収納空間領域に効率よく収まる。
また、箱で梱包された放射性廃棄物同士は縦方へ
複数に重ねることと横方の隣り合う梱包物に隙間を設けなくともパレット上面
2020027093.tif 000003
やペットボトル６本を収納できる最小サイズの梱包箱は、幅２０ｃｍ、幅３３ｃｍ、高さ３１ｃｍであって、この直方体の箱の体積は２０４６０ｃｍ３であるから、この形態の梱包箱を選択するに際して、放射性廃棄物である液体の総量が納められる梱包箱数を求めると保管する場所の床面積や容積が判明する。
【００３１】よって、この保管場所に必要とする敷地面積と容積率が低く抑えられるから本発明は放射性廃棄物を保管する土地を効率的に有効利用できる。
また、移送および保管における内容物の保護に放射性廃棄物包装形態物を梱包する形態は長距離輸送と長期保管に好ましい。
＜第３の実施の形態＞
【００３２】請求項３の発明の放射性廃棄物を貯蔵し保管する方法は、
缶、瓶、ボトル缶［図１，２，５参照］、ペットボトル［図３，４参照］、パウチ［図８，９参照］、カップ容器、組立式箱、箱、袋［図８，９参照］のうちのいずれかの包装資材であって、
前記包装資材の少なくとも一つを選択して用いることを特徴とする請求項１又は２に記載の放射性廃棄物を貯蔵し保管する方法は、それらの包装資材の外形サイズならびに体積は小さく、そのうちの缶、瓶、ボトル缶、ペットボトル、パウチは長期に腐食が少ない素材を選択できるから液体の貯蔵と保管に好ましい。
また、合成樹脂とアルミ箔などの箔を積層ラミネート加工したフイルムを用いて製造されるパウチや金属製のボトル缶などは外部からの空気、水、光を遮断する仕様なので気密性及び遮光性を有するから長期の保管に好ましい。
また、樹脂製袋の蓋装着部位がねじ山に一体成型された樹脂製袋［図６，７参照］は放射性廃棄物である液体を保管するのに好ましい、この樹脂製袋の外形サイズに整合するサイズの組立式段ボール箱や合成樹脂製の箱の内側領域に上記の樹脂製袋を挿入する包装形態物は箱と袋の二層が形成されるから複数個の段積みに耐えられるから好ましい。
【００３３】また、上記の包装資材の個装の容量は１００ｍｌ程度の少ない容量サイズにも対応が可能であるから梱包資材のサイズと合わせて設計されることを推奨する。
また、この複数の包装資材を梱包資材で梱包する形態によって、保管場所の収納空間が効率的に使用できる。すなわち、梱包された放射性廃棄物同士は複数に重ねることと隣り合う梱包物に隙間を設けなくとも台座上面に積み重ねが可能となるし、それらの積み重ねられた一団を配列して上方に複数の段積みが容易となるから保管場所の容積率分の収納空間領域に効率よく収まるから好ましい。
また、処分場開設まで放射性核種で汚染された汚染物を焼却処理して減容化された焼却灰などを一例であるが、厚さのある袋素材やパウチを用いて袋中容量２０ｋｇに包装して台座上面に複数袋を積み重ね保管施設で貯蔵し保管することも好ましい。
【００３４】また、台座やパッレットの上面に上述の焼却灰が挿入されている複数袋を積み重ねた形態のパッレットと袋の一団の上面に別のパッレットと上述の焼却灰が挿入されている袋の一団を重ねて置く場合は、下方に置かれたパッレット上面の少なくとも一部分と上方に置かれたパッレット底面の少なくとも一部分に上下パレットを支持する金属棒または金属枠を垂直に備えると、上段に置かれた放射性廃棄物の荷重負荷が下段の放射性廃棄物へ及ばないからこの上下のパレット間に荷重負荷を支持する金属棒または金属枠を備えることを推奨する。
この支持材を選択する方法により保管施設内で複数段の放射性廃棄物の一団を重ね置いて保管すると倒壊の危険性が低くなるから好ましい。
また、倉庫専用のラックを多用させると、より好ましい。
＜第４の実施の形態＞
【００３５】請求項４の発明の放射性廃棄物を貯蔵し保管する方法は、
木箱梱包、木枠梱包、金属箱梱包、金属枠梱包、トライウォールとパレレット併用［図１０，１１，１２参照］、不倒桟木箱梱包、真空梱包、スキッド梱包、スチールケース、スチールクレート梱包、組立開梱式箱梱包、紙箱梱包［図１０，１１，１２参照］のうちのいずれかの梱包資材であって、
前記梱包資材の少なくとも一つを選択して用いることを特徴とする請求項１から３に記載の放射性廃棄物を貯蔵し保管する方法であるから放射性廃棄物包装形態物の保護と剛性が高くなるこの梱包形態は長距離輸送と長期保管に好ましい。
＜第５の実施の形態＞
【００３６】請求項５の発明の放射性廃棄物を貯蔵し保管する方法は、
放射性廃棄物包装形態物の素材は、金属缶、樹脂容器、ガラス容器、金属と樹脂からなる複合容器、ガラスと金属からなる複合容器、炭素繊維と金属からなる複合容器、ガラスと炭素繊維からなる複合容器、ガラスとセラミックスからなる複合容器、金属とセラミックスからなる複合容器、炭素繊維とセラミックスからなる複合容器のうちのいずれか一つを選択してなることを特徴とする請求項１から３のいずれかに記載の放射性廃棄物を貯蔵し保管する方法であるから放射性廃棄物包装形態物の保護に好ましい。
また、この様な複合素材を選択したなかには包装資材の強度が増すので耐久性に好ましい。
また、上記の素材選択形態は剛性が大きくなるから長距離輸送と長期保管に好ましい。
【００３７】なお、上記の異なる素材同士の複合とは原料調合、粉砕、混合、噴霧、乾燥のうちのいずれか又はすべての製造工程の後に、貼合工程、蒸着工程、熱溶着工程、接着工程、粘着工程、焼成工程、成形工程のうちのいずれかから選択された製造工程が実施されているものである。
＜第６の実施の形態＞
【００３８】請求項６の発明の放射性廃棄物を貯蔵し保管する方法は、
放射性廃棄物包装形態物を梱包資材で梱包する梱包素材は金属、合成樹脂、ガラス、金属と樹脂からなる複合素材、ガラスと金属からなる複合素材、炭素繊維と金属からなる複合素材、ガラスと炭素繊維からなる複合素材、ガラスとセラミックスからなる複合素材、金属とセラミックスからなる複合素材、炭素繊維とセラミックスからなる複合素材のうちのいずれか一つを選択してなることを特徴とする請求項１から４のいずれかに記載の放射性廃棄物を貯蔵し保管する方法であるから放射性廃棄物包装形態物の保護に好ましい。
【００３９】また、この様な複合素材を選択した梱包資材は強度が増すので耐久性に好ましい。
また、この素材選択形態は長距離輸送と長期保管に好ましい。
また上記の異なる素材同士の複合とは貼合仕様、蒸着仕様、熱溶着仕様、接着仕様、粘着仕様のうちのいずれかから選択された仕様である。
＜第７の実施の形態＞
【００４０】請求項７の発明の放射性廃棄物を保管する方法は、前記包装資材または前記梱包資材には、蓋が装着された形態を選択した請求項１から６のいずれかに記載の放射性廃棄物を貯蔵し保管する方法による実施の形態は、容器に挿入されている放射性廃棄物が容易に外部へ漏れ出ないように蓋を選択して取り付けられる。この蓋の素材は包装資材または梱包資材を構成する素材と同一の素材が好ましいがこれに限定されるものではない。
【００４１】また、放射性廃棄物にもよるがガスを放出する放射性廃棄物を容器などの包装資材に挿入する場合には予め蓋の一部位に容器の内部と蓋が連通する目的の通気孔を開設するとよい、この連通穴には水蒸気のような気体が貫通するフイルムなどのシートを連通穴に貼合するとよい。
なお、蓋の種類と仕様は多く枚挙にいとまがない由、次のような蓋を説明する。
また、蓋の仕様は素材がアルミニウムからなり開栓時に蓋の下部のブリッジが破断して一度開栓したことがわかる蓋であって、用途はガラス容器やボトル缶に好適である。
【００４２】つまり、開栓時に蓋の下部のブリッジが破断して一度開栓されると開栓が判明する仕様である。蓋にはネジが無く、ビンに被せた後シーリングマシンでネジが形成されるので容器中の内容物の管理が容易になり好ましい。
また、ガス放出作用により容器内圧力が高水準になった場合でも、広幅ベントホールの働きにより、高まった圧力を開放する蓋を選択されてもよい。
【００４３】また、包装資材または梱包資材に装着させる蓋と包装資材または梱包資材が強固に固定する手段としては蓋と包装資材または梱包資材をボルトとナット、ワッシャを使用して蓋と包装資材または梱包資材を固定することが好ましい。
なお、上記で説明した蓋の仕様に限定されるものではない。
また、貯蔵し保管する放射性廃棄物の放射能初期減衰至る全て減衰時とその減衰期間内にはロボットやコンピュータを用いて梱包の開梱と包装形態物の蓋の保持を自動に解除する機械化も可能であるから本発明の有用性は高い。
＜第８の実施の形態＞
【００４４】請求項８の発明の放射性廃棄物を保管する方法は、
前記包装資材または前記梱包資材の表面には、樹脂からなるフイルムを装着して被覆されている請求項３又は４に記載の放射性廃棄物を貯蔵し保管する方法のフイルムを装着させる実施の形態は、例えば、放射性汚染水が注入されている蓋でボトル缶の口部が閉じられたボトル缶と蓋の外側の表面全てを肉厚の熱収縮フイルムで被覆すると蓋とボトル缶の強度が増す、さらにはポリエチレン素材の熱収縮フイルムで被覆し密閉することでボトル缶内部に存在する放射性汚染水がボトル缶の外部へ漏れ出なくなる確率が高くなることが考えられるから好ましい。
＜第９の実施の形態＞
【００４５】請求項９の発明の放射性廃棄物を貯蔵し保管する方法は、
前記放射性廃棄物包装形態物または前記放射性廃棄物包装形態物を梱包資材で梱包した梱包物の移動および管理にはコンピューターによる監視システムと物流システムとが備えられている立体自動倉庫または建造物である請求項１又は２に記載の放射性廃棄物を貯蔵し保管する立体自動倉庫の実施の形態は、
放射性廃棄物包装形態物または放射性廃棄物包装形態物を梱包資材で梱包した梱包物が倉庫用ラック内側領域に収納されている倉庫用ラックを通路領域に置き通路領域を収納保管領域として活用する手段は倉庫の収納効率を高めるから好ましい。
【００４６】勿論、上記の通路収納保管領域以外の倉庫の収納領域に存在する別の放射性廃棄物包装形態物または放射性廃棄物包装形態物を梱包資材で梱包した梱包物の移動作業においては上記の通路収納保管領域で保管されている放射性廃棄物包装形態物と倉庫用ラックを移動することが出来るから倉庫の収納体積が一般的な倉庫収納体積の数倍になるので通路領域を収納保管領域として活用する倉庫収納手段の選択は望ましい。
【００４７】このように効率的に放射性廃棄物包装形態物を収納するシステムの選択肢はＩＴ技術を駆使する企業を選択されることが望ましい。
また、ラックの付帯設備であるレール仕様はレール式とレール敷設関連工事の無いノンレール式のいずれかを選択するとよい。
【００４８】また、ＩＴ技術活用による放射性廃棄物包装形態物または放射性廃棄物包装形態物を梱包資材で梱包した梱包物の入出庫検品、計画入出庫、入庫物に名前を付けて管理、地上在庫管理（平置き在庫）、長期保管の放射能減衰値、放射能濃度測定と警告や在庫量管理、キーワード検索から即時出庫、日報管理、月報管理、設備状態の確認などをコンピューターによるシステム化が可能であるからＩＴ技術が備えられた立体自動倉庫または建造物の選択は放射性廃棄物包装形態物または放射性廃棄物包装形態物を梱包資材で梱包した梱包物を貯蔵し保管するのに好ましい。
【符号の説明】
【００４９】１ペットボトル
２蓋
３金属製ボトル缶
４三重水素
５三重水素が含まれる汚染水
６三重水素が含まれる汚染水を梱包した箱
７放射性廃棄物
８焼却灰
９放射性廃棄物が収納されている袋
１０溶着部位
１１梱包箱の積み重ね形態［樹脂製段ボール箱又は紙製段ボール箱］
１２台座
１３蓋装着部ねじ山一体成型樹脂袋
１４放射能標識
１５バーコード標識
１６放射性廃棄物の名称表示
2020027093.tif 000004
２０包装フイルム
２１三重水素が含まれる汚染水［点線内側］
２２ねじ山部位
2020027093.tif 000005
２４梱包用バンド
２５梱包用フイルム
２６パウチ
【図１】
2020027093.tif 000006
【図２】
2020027093.tif 000007
【図３】
2020027093.tif 000008
【図４】
2020027093.tif 000009
【図５】
2020027093.tif 000010
【図６】
2020027093.tif 000011
【図７】
2020027093.tif 000012
【図８】
2020027093.tif 000013
【図９】
2020027093.tif 000014
【図１０】
2020027093.tif 000015
【図１１】
2020027093.tif 000016
【図１２】
2020027093.tif 000017